(57)【要約】録画予約を行なった場合、記録メディアの残り容量を計算し、ユーザに予約の状況、予約録画可能かどうかを容易に分かりやすくする。この発明の装置は、同じＤＶＤ規格のフォーマットにより、内蔵のハードディスクに圧縮映像情報を記録再生可能であり、またリムーバブルなＤＶＤにも圧縮映像情報を記録再生可能である。またディスクを指定して録画予約を行なうことが可能であり、その予約テーブルをメモリに格納している。そして、録画予約時間情報とディスクの残り容量とを計算し、予約録画可能かどうかを一覧表示することができる。
2002028100.tif 000002
【特許請求の範囲】
【請求項１】
記録媒体に情報を記録しまたは前記記録媒体から情報を再生し、再生した情報をモニタに表示可能な記録再生装置において、
録画予約情報を記憶する手段と、
前記予約情報の一覧表を前記モニタに表示する手段と、
前記一覧表から１つまたは複数個の録画予約項目が選択されたときに、必要とする予約容量を計算する計算手段と、
前記予約容量と録画対象となる記録媒体の残り容量との関係から得られた録画可能、不可能を示す結果情報を前記モニタに表示する結果表示手段と、
を具備したことを特徴とする記録再生装置。
【請求項２】
装置に内蔵された第１の記録媒体に情報を記録しまたは前記第１の記録媒体から情報を再生し、また装置に着脱可能な第２の記録媒体に情報を記録しまたは前記第２の記録媒体から情報を再生し、再生した情報をモニタに表示可能な記録再生装置において、
録画予約情報を記憶する手段と、
前記予約情報の一覧表を前記モニタに表示する手段と、
前記一覧表から１つまたは複数個の録画予約項目が選択されたとき、必要とする予約容量を計算する計算手段と、
前記予約容量と録画対象となる記録媒体の残り容量との関係から得られた録画可能、不可能を示す結果の情報を前記モニタに表示する結果表示手段と、
を具備したことを特徴とする記録再生装置。
【請求項３】
前記計算手段は、
上記記録再生用媒体のうちいずれか１つの記録再生用媒体の残り容量を計算することを特徴とする請求項２記載の複数の記録媒体を制御可能な記録再生装置。
【請求項４】
前記計算手段は、
上記記録再生用媒体のうち全ての記録再生用媒体の残り容量を計算することを特徴とする請求項２記載の複数の記録媒体を制御可能な記録再生装置。
【請求項５】
前記計算手段は、
上記記録再生用媒体のうち予め録画先として指定されている記録再生用媒体の少なくとも残り容量を計算することを特徴とする請求項２記載の複数の記録媒体を制御可能な記録再生装置。
【請求項６】
前記計算手段は、
前記記録再生用媒体の記録済み容量と、予約録画に必要な容量と、残り容量とを求めることを特徴とする請求項２記載の複数の記録媒体を制御可能な記録再生装置。
【請求項７】
前記結果表示手段は、
前記記録再生用媒体の少なくとも残り容量を棒状グラフで表示することを特徴とする請求項２記載の複数の記録媒体を制御可能な記録再生装置。
【請求項８】
前記録画予約情報を記憶する手段は、メモリもしくは前記第１の記録再生用媒体であることを特徴とする請求項２記載の複数の記録媒体を制御可能な記録再生装置。
【請求項９】
装置に内蔵された第１の記録媒体に情報を記録しまたは前記第１の記録媒体から情報を再生し、また装置に着脱可能な第２の記録媒体に情報を記録しまたは前記第２の記録媒体から情報を再生し、再生した情報をモニタに表示可能な記録再生装置において、
録画予約情報を記憶する手段と、
前記予約情報の一覧表を前記モニタに表示する手段と、
前記一覧表から１つまたは複数個の録画予約項目が選択されたとき、必要とする予約容量を計算する計算手段と、
前記予約容量と録画対象となる記録媒体の残り容量との関係から得られた録画可能、不可能を示す結果の情報を前記モニタに表示する結果表示手段と、
前記結果表示手段が前記結果情報を前記モニタに表示した状態で、操作入力に応じて録画予約項目の修正が行われた後に、録画可能、不可能を示す結果の情報を前記モニタに再表示する結果再表示手段と、
前記結果再表示手段により前記モニタに表示された各表示項目の内容を設定登録するか否かの問い合わせをモニタに表示する問い合わせ表示手段と
を具備したことを特徴とする記録再生装置。
【請求項１０】
装置に内蔵された第１の記録媒体に情報を記録しまたは前記第１の記録媒体から情報を再生し、また装置に着脱可能な第２の記録媒体に情報を記録しまたは前記第２の記録媒体から情報を再生し、再生した情報をモニタに表示可能な記録再生装置において、
録画予約情報を記憶する手段と、
前記予約情報の一覧表を前記モニタに表示する手段と、
前記一覧表から１つまたは複数個の録画予約項目が選択されたとき、必要とする予約容量を計算する計算手段と、
前記予約容量と録画対象となる記録媒体の残り容量との関係から得られた録画可能、不可能を示す結果の情報を前記モニタに表示する結果表示手段と、
前記結果表示手段が前記結果情報を前記モニタに表示した状態で、操作入力に応じて録画予約項目が修正された後に、前記第２の記録媒体が装置内に装填されているかどうかを判断し、装填されていない場合には、前記第２の記録媒体の全容量が所定の容量であるものとして、残り容量計算を行う旨の警告メッセージをモニタに表示する警告手段と、
前記警告手段による前記警告メッセージの表示が行われている状態で、前記第２の記録媒体の全容量が所定の容量であるものとして残り容量計算を行うことが承諾された場合、録画可能、不可能を示す結果の情報を前記モニタに再表示する結果再表示手段と、
前記結果再表示手段により前記モニタに表示された各表示項目の内容を設定登録するか否かの問い合わせをモニタに表示する問い合わせ表示手段と
を具備したことを特徴とする記録再生装置。
【請求項１１】
前記問合せ表示手段が表示を行なった状態で、設定登録を選択する操作入力があると、前記結果再表示手段で表示された内容で録画予約情報を前記記憶手段に記憶させる手段を具備したことを特徴とする請求項９又は１０記載の複数の記録媒体を制御可能な記録再生装置。
【請求項１２】
前記問合せ表示手段が表示を行なった状態で、設定登録を否定する操作入力があると、前記結果表示手段で表示された元の内容で録画予約情報を前記記憶手段に保持させる手段を具備したことを特徴とする請求項９又は１０記載の複数の記録媒体を制御可能な記録再生装置。
【請求項１３】
記録媒体に情報を記録しまたは前記記録媒体から情報を再生し、再生した情報をモニタに表示可能な記録再生装置の録画予約方法において、
録画予約情報を記憶し、
前記予約情報の一覧表を前記モニタに表示し、
前記一覧表から１つまたは複数個の録画予約項目が選択されたときに、必要とする予約容量を計算し、
前記予約容量と録画対象となる記録媒体の残り容量との関係から得られた録画可能、不可能を示す結果情報を前記モニタに表示する
を具備したことを特徴とする記録再生装置の録画予約方法。
【請求項１４】
装置に内蔵された第１の記録媒体に情報を記録しまたは前記第１の記録媒体から情報を再生し、また装置に着脱可能な第２の記録媒体に情報を記録しまたは前記第２の記録媒体から情報を再生し、再生した情報をモニタに表示可能な記録再生装置の録画予約方法において、
録画予約情報を記憶し、
前記予約情報の一覧表を前記モニタに表示し、
前記一覧表から１つまたは複数個の録画予約項目が選択されたとき、必要とする予約容量を計算し、
前記予約容量と録画対象となる記録媒体の残り容量との関係から得られた録画可能、不可能を示す結果の情報を前記モニタに表示する
ことを特徴とする記録再生装置の録画予約方法。
【請求項１５】
装置に内蔵された第１の記録媒体に情報を記録しまたは前記第１の記録媒体から情報を再生し、また装置に着脱可能な第２の記録媒体に情報を記録しまたは前記第２の記録媒体から情報を再生し、再生した情報をモニタに表示可能な記録再生装置において、
録画予約情報を記憶し、
前記予約情報の一覧表を前記モニタに表示し、
前記一覧表から１つまたは複数個の録画予約項目が選択されたとき、必要とする予約容量を計算し、
前記予約容量と録画対象となる記録媒体の残り容量との関係から得られた録画可能、不可能を示す結果の情報を前記モニタに表示し、
前記結果情報が前記モニタに表示された状態で、操作入力に応じて録画予約項目が修正された後に、録画可能、不可能を示す結果の情報を前記モニタに再表示し、
前記モニタに再表示された各表示項目の内容を設定登録するか否かの問い合わせを前記モニタに表示する問い合わせ表示手段と
を具備したことを特徴とする記録再生装置の録画予約方法。
【請求項１６】
装置に内蔵された第１の記録媒体に情報を記録しまたは前記第１の記録媒体から情報を再生し、また装置に着脱可能な第２の記録媒体に情報を記録しまたは前記第２の記録媒体から情報を再生し、再生した情報をモニタに表示する記録再生装置の録画予約方法において、
録画予約情報を記憶し、
前記予約情報の一覧表を前記モニタに表示し、
前記一覧表から１つまたは複数個の録画予約項目が選択されたとき、必要とする予約容量を計算し、
前記予約容量と録画対象となる記録媒体の残り容量との関係から得られた録画可能、不可能を示す結果の情報を前記モニタに表示し、
前記結果情報が前記モニタに表示された状態で、録画予約項目が修正された後に、前記第２の記録媒体が装置内に装填されているかどうかを判断し、装填されていない場合には、前記第２の記録媒体の全容量が所定の容量であるものとして残り容量計算を行うことを示す警告メッセージをモニタに表示し、
前記警告メッセージの表示が行われている状態で、前記第２の記録媒体の全容量が所定の容量であるものとして残り容量計算を行うことが承諾された場合、録画可能、不可能を示す結果の情報を前記モニタに再表示し、
前記結果再表示手段により前記モニタに表示された各表示項目の内容を設定登録するか否かをのモニタに問い合わせ表示する問い合わせ表示手段と
を具備したことを特徴とする記録再生装置の録画予約方法。
【発明の詳細な説明】
技術分野
この発明は、ハードディスク、記録再生可能なＤＶＤ（デジタル・バーサタイル・ディスク）などのように、記録再生可能な複数の媒体を同時に取り扱うことができる記録再生装置およびこの記録再生装置の録画予約方法。
背景技術
近年、映像や音声等のデータを記録した光ディスクを再生する動画対応の光ディスク再生装置が開発されている。光ディスク再生装置としては、例えばレーザディスク（ＬＤ）、ビデオコンパクトディスク（ＣＤ）再生装置などがある。ユーザは、これらの装置を利用して、映画ソフトの鑑賞、カラオケ等を楽しむことができる。
光ディスクとその応用技術の分野で、ＤＶＤ規格が提案されている。ＤＶＤ規格では、ビデオ信号の圧縮に関しては国際規格化したＭＰＥＧ２（Ｍｏｖｉｎｇ　Ｉｍａｇｅ　Ｃｏｄｉｎｇ　ＥｘｐｅｒｔＧｒｏｕｐ　２）方式を採用し、オーディオに関してはＡＣ３オーディオ圧縮方式を採用している。
即ち、ＤＶＤ規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。さらに、ＤＶＤ規格に基づいて、映画、カラオケ等の字幕用として、ビットマップデータをランレングス圧縮した副映像データを取り扱うことができる。さらに、ＤＶＤ規格では、再生装置で早送り逆送りなどの特殊再生を得られるように、コントロールデータ（ナビパック）が定義されている。
さらにＤＶＤ規格では、コンピュータによってもディスクのデータを読むことが出来るように、ＩＳ０９６６０とマイクロＵＤＦの規格をサポートしている。
また、メディア自身の規格としては、ＤＶＤ−ビデオのメディアであるＤＶＤ−ＲＯＭの規格に続き、ＤＶＤ−ＲＡＭの規格（２．６ＧＢ）も完成し、ＤＶＤ−ＲＡＭドライブもコンピュータ周辺機器として、普及し始めている。
現在ではＤＶＤ−ＲＡＭを利用し、リアルタイムでの情報記録再生が可能なシステムを実現するＤＶＤビデオ規格、つまりＲＴＲ（Ｒｅａｌ　Ｔｉｍｅ　Ｒｅｃｏｒｄｅｒ）−ＤＶＤの規格が完成しつつあり、近いうちに検証作業も終了する予定となっている。
この規格は、現在発売されているＤＶＤ−ＲＯＭの規格をベースに考えられている。さらに、ＲＴＲ−ＤＶＤに対応したファイルシステムも現在規格化されている。
一方では、記録再生装置に内蔵されたハード・ディスク装置（ハードディスクドライブ：ＨＤＤ）を利用し、放送信号を記録し、また再生するための方式も考えられている。ハードディスク装置では１００Ｇバイト以上のデータ記録が可能である。
上記のハードディスク装置とＤＶＤシステムをそれぞれ単独で考慮した場合、いずれにも長所と短所がある。
ハードディスク装置の場合は、通常の使用形態では、記録再生装置に内蔵であり、外部に取り出すことができない。このために、無限にデータを保存することは不可能である。いつかは、記録領域の残量が不足することになる。また、ハードディスク装置は、記録再生装置の外部にユーザが容易に取り出すことができない。このために、ハードディスクを取り出して、ハードディスクに記録されているデータを他の装置で再生するようなことはできない。
一方、記録再生可能なＤＶＤの場合、ハードディスクに比べて記憶容量は少ない。コピー禁止情報を記録することはできない。しかしＤＶＤの場合、記録再生装置に対してリムーバブルである。
発明の開示
そこでこの発明の実施例では、第１の情報記録再生媒体（例えばハードディスク）を内蔵しながら第２の情報記録再生媒体（例えばＤＶＤ）をリムーバブルとすることができる複数の記録媒体を制御可能な記録再生装置を提供することを目的とする。ここで特に、録画予約を行なうことができると共に、録画予約に基づく録画予約時間の情報を利用して、ユーザへの情報提供機能を充実させた記録再生装置およびこの記録再生装置の録画予約方法を提供することを目的とする。
上記の目的を達成するために、記録媒体に情報を記録しまたは前記記録媒体から情報を再生し、再生した情報をモニタに表示可能な記録再生装置において、録画予約情報を記憶する手段と、前記予約情報の一覧表を前記モニタに表示する手段と、前記一覧表から１つまたは複数個の録画予約項目が選択されたときに、必要とする予約容量を計算する計算手段と、前記予約容量と録画対象となる記録媒体の残り容量との関係から得られた録画可能、不可能を示す結果情報を前記モニタに表示する結果表示手段とを設けるものである。
発明を実施するための最良の形態
以下この発明の実施の形態を図面を参照して説明する。
図１はこの発明が適用された複数の記録媒体を制御可能な記録再生装置の全体的なブロック構成を示している。
図１の各ブロックを大きく分けると、図面上左側には記録部の主なブロックを示し、右側には再生部の主なブロックを示している。記録再生装置は、ハーディスクドライブ装置２００１と、ビデオファイルを構築できる情報記憶媒体である光ディスク１００１を回転駆動し、この光ディスク１００１に対して情報の読み書きを実行するディスクドライブ３５と、録画側を構成するエンコーダ部５０と、再生側を構成するデコーダ部６０と、装置本体の動作を制御するマイクロコンピュータブロック３０とを主たる構成要素としている。
エンコーダ部５０は、アナログデジタルコンバータ（ＡＤＣ）５２と、ビデオ（Ｖ）エンコーダと、オーディオ（Ａ）エンコーダと、副映像（ＳＰ）エンコーダを含むエンコーダ群５３と、各エンコーダの出力を所定のフォーマットにするフォーマッタ５６と、バッファメモリ５７とを備えている。
ＡＤＣ５２には、ＡＶ入力部４２からの外部アナログビデオ信号及び外部アナログオーディオ信号、あるいはテレビジョン（ＴＶ）チューナ４４からのアナログテレビジョン信号とアナログ音声信号が入力される。
ＡＤＣ５２は、入力されたアナログビデオ信号を、例えばサンプリング周波数１３．５ＭＨｚ、量子化ビット数８ビットでデジタル化する。ここでは、輝度成分Ｙ、色差成分Ｃｒ（またはＹ−Ｒ）及び色差成分Ｃｂ（またはＹ−Ｂ）が、それぞれ８ビットで量子化されることになる。
同様に、ＡＤＣ５２は、入力されたアナログオーディオ信号を、例えばサンプリング周波数４８ｋＨｚ、量子化ビット数１６ビットでデジタル化する。
なお、ＡＤＣ５２にデジタルビデオ信号やデジタルオーディオ信号が入力されるときは、ＡＤＣ５２は、デジタルビデオ信号やデジタルオーディオ信号をスルーパスさせる。
ＡＤＣ５２から出力されたデジタルビデオ信号は、ビデオエンコーダを介してフォーマッタ５６に送られる。また、ＡＤＣ５２から出力されたデジタルオーディオ信号は、オーディオエンコーダを介してフォーマッタ５６に送られる。
ビデオエンコーダは、入力されたデジタルビデオ信号を、ＭＰＥＧ２またはＭＰＥＧ１規格に基づいて、可変ビットレートで圧縮されたデジタル信号に変換する機能を持つ。また、オーディオエンコーダは、入力されたデジタルオーディオ信号を、ＭＰＥＧまたはＡＣ−３規格に基づいて、固定ビットレートで圧縮されたデジタル信号またはリニアＰＣＭのデジタル信号に変換する機能を持つ。
副映像情報が（例えば副映像信号の独立出力端子付ＤＶＤビデオプレーヤからの信号）ＡＶ入力部４２からエンコーダ部５０に入力された場合、副映像信号（副映像パック）が、副映像エンコーダに入力される。あるいは、ＤＶＤビデオ信号が放送され、それがＴＶチューナ４４で受信された場合は、ＤＶＤビデオ信号中の副映像信号（副映像パック）が、副映像エンコーダに入力される。副映像エンコーダに入力された副映像信号は、所定の信号形態にアレンジされて、フォーマッタ５６に送られる。
フォーマッタ５６は、バッファメモリ５７をワークエリアとして使用しながら、入力されたビデオ信号、オーディオ信号、副映像信号等に対して所定の信号処理を行なう。この信号処理により、ＤＶＤ規格のフォーマット（ファイル構造）に合致した記録データが形成され、記録データはデータプロセッサ３６に供給される。
ここで、本装置は、エンコーダ部５０でエンコードされた情報、及びコンピュータブロック３０で作成された管理情報を、データプロセッサ３６を介してハードディスク装置２００１に供給し、ハードディスクに記録することができる。
またハードディスクに記録された情報を、データプロセッサ３６、ディスクドライブ３５を介して光ディスク１００１に記録することもできる。さらにまた、エンコーダ部５０でエンコードされた情報、及び及びコンピュータブロック３０で作成された管理情報を、データプロセッサ３６、ディスクドライブ３５を介して、光ディスク１００１に記録することもできる。
管理情報は、所定のフォーマットで記録されたコンテンツを再生するための情報であり、属性、アドレス、所定の区切り情報、区切り情報に基づく再生順序などを示す情報である。
また、本発明は、ハードディスク装置２００１のハードディスクに記録さレている情報が、光ディスク１００１のデータフォーマットと同じである場合、ハードディスクの情報を光ディスク１００１にエンコード処理すること無く記録することができる。
ハードディスク装置２００１のハードディスクに記録されている情報が、光ディスク１００１のデータフォーマットと異なる場合は、ハードディスクから読み出した情報をエンコーダ部５０でエンコードする。そしてエンコードされた情報を光ディスク１００１に記録することができる。
ここで、上記光ディスク１００１への記録データを作成するための標準的なエンコード処理内容を簡単に説明しておく。すなわち、エンコーダ部５０において、エンコード処理が開始されると、ビデオ（主映像）データ及びオーディオデータをエンコード処理するにあたって必要なパラメータ（ビットレートなど）が設定される。
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。同様に、副映像データをエンコード処理するのに必要なパラメータが設定され、エンコード処理された副映像データが作成される。
エンコード処理された主映像データ、オーディオデータ及び副映像データが組み合わされて、ビデオオブジェクトセット（ＶＯＢＳ）の構造に変換される。
すなわち、主映像データ（ビデオデータ）を管理するための最小単位としてセルが設定され、セル情報が作成される。次に、プログラムチェーンＰＧＣ（ビデオデータを再生するための順序を示す情報）を構成するセルの集合も行なわれる。また、主映像、副映像及びオーディオの属性等が設定され（これらの属性情報の一部は、各データをエンコードするときに得られた情報が利用される）。これにより、種々の情報を含めたビデオマネジャー（ＶＭＧ）ファイルが作成される。
一方、エンコード処理された主映像データ、オーディオデータ及び副映像データは以下のように処理される。即ち、主映像データ、オーディオデータ及び副映像データは、それぞれ一定サイズ（２０４８バイト）のパックに細分化される。これらのパックには、ダミーパックが適宜挿入される。なお、ダミーパック以外のパック内には、適宜、再生時刻を示すＰＴＳ（プレゼンテーションタイムスタンプ）、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
そして、各データのタイムコード順に再生可能なように、ビデオオブジェクトユニット（ＶＯＢＵ）単位でその先頭にＲＤＩパック（ナビゲーションパックに相当）を配置しながら各セルに対応して配置される。これにより、複数のセルで構成されるビデオオブジェクト（ＶＯＢ）が構成される。このビデオオブジェクト（ＶＯＢ）を１つ以上集めてなるビデオオブジェクトセット（ＶＯＢＳ）が、ムビービデオファイルに記録される。
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。ただし、ＤＶＤ再生信号をデジタルコピーできるようにＤＶＤビデオレコーダを構成する場合には、電子すかし情報やその他の著作権保護情報を利用したコピープロテクト手段が講じられる必要がある。
光ディスク１００１に対して、情報の読み書き（録画及び／または再生）を実行する部分としては、光学系、駆動系を有するディスクドライブ３５と、データプロセッサ３６と、一時記憶部３７と、ＳＴＣ（システムタイムカウンターまたはシステムタイムクロック）３８とが備えられている。
一時記憶部３７は、データプロセッサ３６、ディスクドライブ３５介して光ディスク１００１に書き込まれるデータ（エンコーダ部５０から出力されるデータ）のうちの一定量分をバッファリングしたり、ディスクドライブ３５、データプロセッサ３６を介して光ディスク１００１から再生されたデータ（デコーダ部６０に入力されるデータ）のうちの一定量分をバッファリングするのに利用される。ディスクドライブ３５は、光ディスクに対する回転制御系、レーザ駆動系、光学系などを有する。
一時記憶部３７は、録画途中で光ディスク１００１を使い切ってしまった場合、光ディスク１００１が新しいディスクに交換されるまでの短時間の録画情報を一時記憶しておくことにも利用できる。
しかし、本発明の装置では、大きな容量を持つハードディスク装置２００１が設けられているので、この装置を一時記憶用として活用することもできる。
一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
データプロセッサ３６は、マイクロコンピュータブロック３０の制御にしたがって、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたデータ（ファイルあるいはビデオオブジェクト）の削除をしたりする。
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
また、マイクロコンピュータブロック３０は、他の処理ブロックを制御するために必要な情報処理部を有するもので、コピー情報検知・設定部、ディレクトリ検知部、ＶＭＧ管理情報作成部を備える。
ＭＰＵの実行結果のうち、ディスクドライブ３５のユーザに通知すべき内容は、ＤＶＤビデオレコーダの表示部４８に表示されるか、またはモニタディスプレイを利用してＯＳＤ（オンスクリーンディスプレイ）表示される。
なお、マイクロコンピュータブロック３０が、ディスクドライブ３６、データプロセッサ３６、エンコーダ部５０及び／またはデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
デコーダ部６０は、パック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするビデオデコーダと、セパレータ６２で分離された副映像データ（副映像パックの内容）をデコードする副映像デコーダと、セパレータ６２で分離されたオーディオデータ（オーディオパックの内容）をデコードするオーディオデコーダを含むデコーダ群６４を有する。また、デコーダ部６０は、ビデオデコーダから得られる主映像データに副映像デコーダから得られる副映像データを適宜合成し、主映像にメニュー、ハイライトボタン、字幕やその他の副映像を重ねて出力するビデオプロセッサ６６も備えている。
ビデオプロセッサ６６の出力は、ビデオミクサー７１に入力される。ビデオミクサー７１では、例えばテキストデータ、グラフィックデータなどの合成が行われる。またビデオミクサー７１には、また、ＴＶチューナ４４やＡ／Ｖ入力部４２からの信号を直接取り込むラインも接続されている。ビデオミクサー７１には、バッファとして用いるフレームメモリ７２が接続されている。デジタル出力を得る場合は、ビデオミクサー７１の出力がインターフェース（Ｉ／Ｆ）７３を介して外部へ出力され、アナログ出力を得る場合は、ビデオミクサー７１の出力がＤＡＣ７４を介して外部へ出力される。
オーディオデコーダの出力としてデジタル出力を得る場合は、オーディオデコーダの出力がインターフェース（Ｉ／Ｆ）７５を介して外部へ出力され、アナログ出力を得る場合は、オーディオデコーダの出力がセレクタ７６、ＤＡＣ７７を介して外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない外部コンポーネント（２チャンネル〜６チャンネルのマルチチャンネルステレオ装置）に供給される。
上記装置において、ビデオ信号の流れを簡単に説明すると、以下のようになる。
入力されたＡＶ信号はＡＤＣ５２でデジタル変換される。ビデオ信号はビデオエンコーダへ、オーディオ信号はオーディオエンコーダへ、文字放送などの文字データは副映像エンコーダへ入力される。ビデオ信号はＭＰＥＧ圧縮され、オーディオ信号はＡＣ３圧縮またはＭＰＥＧオーディオ圧縮がなされ、文字データはランレングス圧縮される。
各エンコーダからの圧縮データは、区切られた場合に２０４８バイトになるようにパケット化されて、フォーマッタ５６へ入力される。フォーマッタ５６では、各パケットがパック化され、さらに、多重化され、データプロセッサ３６へ送られる。
ここで、フォーマッタ５６は、アスペクト情報検出部４３からの情報を元に、ＲＤＩパックを作成し、ビデオオブジェクトユニット（ＶＯＢＵ）の先頭に配置する。また、他の属性情報（コピープロテクト情報など）もＲＤＩパック内に配置される。
データプロセッサ３６は、１６データセクタ毎にエラー訂正データを付加し、ＥＣＣブロックを形成し、その出力をディスクドライブ３５に供給する。ディスクドライブ３５では、ＥＣＣブロックにさらに変調処理を行い、同期コードなどを付加してして光ディスク１００１へ記録する。１データセクタ内には、２０４８バイト（１パック）のデータが含まれる。
ここで、ディスクドライブ３５がシーク中やトラックジャンプなどの場合のため、ビジィー状態の場合には、一時記憶部３７（例えばＨＤＤバッファ部）へ入れられ、ＤＶＤ−ＲＡＭドライブ部（ディスクドライブ３５）の準備ができるまで待つこととなる。
さらに、フォーマッタ５６では、録画中、各切り分け情報を作成し、定期的にマイクロコンピュータブロック３０のＭＰＵへ送る（ＧＯＰ先頭割り込み時などの情報）。
切り分け情報としては、ＶＯＢＵのパック数、ＶＯＢＵ先頭からのＩピクチャのエンドアドレス、ＶＯＢＵの再生時間などである。
同時に、アスペクト情報検出部４３からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
また、記録再生可能なＤＶＤシステムでは、ビデオファイルは１ディスクに１ファイルとしている。
ここで、ＤＶＤを利用したリアルタイム記録再生装置において、注意すべき点は、データをアクセスする場合において、そのアクセス（シーク）している間に、とぎれないで再生を続けるために、最低限連続するセクタが必要になってくる。この単位をＣＤＡ（コンティギュアス・データ・エリア）という。
このＣＤＡは、ＥＣＣブロック単位となっている方が有利である。そのため、ＣＤＡサイズは１６セクタの倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
本発明の装置は、タイムスリップ（ＴＳ）機能を備えている。
このために、ハードディスク装置２００１が有効に活用される。つまり、Ａ／Ｖ入力部あるはＴＶチューナからオンエアー中の情報を、ハードディスク装置２００１でハードディスクに記録する。この記録を継続しながら、記録済みの情報を読出し、デコードしてモニタすることができる。あるいは、ハードディスクから読出した情報を、光ディスク１００１に記録することが可能である。また記録済みの情報をデコードしてモニタすると同時に、モニタしている情報をハードディスクに記録することも可能である。ハードディスク、光ディスクに対する記録、再生処理は、タイムシェアリングにより実行される。
ハードディスク装置２００１は、装置に内蔵されており、光ディスク１００１は、リムーバブルであり、ユーザが自由に交換することが可能である。
この装置においては、マイクロコンピュータブロック３０には録画予約情報処理部３０１が設定されている。また残量計算処理部４０１が設定されている。
録画予約情報処理部３０１は、ユーザの録画予約キー操作により、例えば、図２のような録画予約入力画面３１０、図３に示すような録画予約一覧画面３５０を表示することができる。
図２は、録画予約入力画面３１０を示している。最上部の行に右側から、チャンネル（ＣＨ）、日付、開始、終了、記録先、モード、ビットレート、音質、タイムスリップ（ＴＳ）の項目がある。
第１番目の予約情報は、予約録画する番組が衛星放送第１５チャンネル（ＢＳ１５）で放送されるものであり、日付が４月１２日であり、番組がＰＭ０７：３０からＰＭ０８：００までであることを示している。またこの番組の記録先は、ＤＶＤであり、記録モード（速度）はマニュアル、ビットレートは６．０であることを示している。また、音質は、ドルビー方式（ＤＢ−Ｓ）が採用されることを示している。また録画は、タイムスリップモードで行なうことを示している。
さらに第２番目の予約情報は、予約録画する番組が１２チャンネルで放送されるものであり、日付が４月１４日であり、番組がＰＭ０７：００からＰＭ１０：００までであることを示している。またこの番組の記録先は、ＨＤＤであり、記録モード（速度）はＳＰ（標準）、ビットレートは５．０Ｍｂｐｓであることを示している。また、音質は、ドルビー方式（ＤＢ−Ｓ）が採用されることを示している。また録画は、タイムスリップモードで行なうことを示している。
図の例は、左側のカーソル３１１を移動させることにより、予約情報入力位置（行）を設定している状態を示している。
上記の録画予約が行なわれた後、図３の録画予約一覧画面３５０を表示させることができる。これは、図２の予約入力画面３１０の状態において、例えば次頁操作、或はエンターキーを操作することにより可能である。
図３の画面は、図２の画面と同じであるが、さらに、予約ディスクを設定する項目３５１が表示される。予約ディスクとは、例えば、同じ番組（連続ドラマ等放送日が異なりシリーズになっているような番組）を１つのディスクに収録したいような場合、当該ディスクを予約ディスクとして指定するものである。予約ディスクが設定された場合、録画予約情報が予約ディスク予め設定された予約情報記録部と、装置本体のメモリとに保存される。
この場合には、チャンネル６の午前８時３０分から１０時までの連続番組を記録する予約ディスクとしてＤＶＤが指定されている様子を示している。
次に、図４を参照して説明する。
本発明のシステムでは、録画予約されたディスクの残量を計算し、録画時間に応じて予約録画が可能かどうかをチェックするシミュレーションシテムが装備されている。図４の画面は、例えば図３の画面の表示状態で次頁操作操作あるいは、ＧＵＩ（グラフィックユーザインターフェース）キーを操作することにより、表示される。
ここで、ＤＶＤに対しては、衛星放送であるＢＳ１５チャンネルの午後７時半から８時までの番組の録画予約，８チャンネルの午前８時から９時までの番組の録画予約、６チャンネルの午後８時から１０時までの番組の録画予約が行なわれている。
さらにハードディスク（ＨＤＤ）には、１２チャンネルの午後７時から１０時までの番組、３チャンネルの午後１時から４時までの番組、４チャンネルの午後１０時から１２時までの番組、また、１０チャンネルの午前１０から午後１時までの番組の予約が行なわれているものとする。
上記画面で、例えば、ユーザがＢＳ１２チャンネル、１２チャンネル、８チャンネル、６チャンネル、３チャンネルの各予約番組を録画可能かどうかを確認したい場合、次のように操作される。
即ち、予約を行なっているチャンネル、日付、時間、記録先の各行に「レ」マークが付加される。すると、録画予約の時間情報と各ディスクの空き容量の比較が行なわれ、その結果が例えば○、×の形で表示される。なお、結果は、日付、時間情報の若いほうから優先される。
図４の例では、ＢＳ１２チャンネルの番組に関する予約は○、１２チャンネルの番組に関する予約は○、８チャンネルの番組に関する予約は○、チャンネル６の番組に関する予約は×、チャンネル３の番組に関する予約は○が付されている。
チャンネル６の番組に関する予約として×が得られている理由は、このディスク（ＤＶＤ）の残量が不足したことが理由である。
さらに残量計算結果画面では、ＨＤＤの記録済み容量の表示区間４０１、記録予定容量の表示区間４０２、空き容量の表示区間４０４の配分、ＤＶＤの記録済み容量の表示区間４１１、記録予定容量の表示区間４１２、空き容量表示区間４１３の配分が例えばバー表示される。これにより、ユーザは、容易に録画予約の信頼性を確認することができる。上記容量の区間識別は、模様でも、色別でもよい。また、記録済み、記録予定、空きなどの文字を付しても良いことは勿論である。
図５には、上記した残量計算結果を得るときに、本発明の装置が動作する手順を示している。
録画予約情報がメモリ（例えばマイクロコンピュータブロックに内蔵もしくは外付けされている）から読み出される（ステップＡ１）。次に図４で示したような録画予約情報を一覧表示する（ステップＡ２）。次にユーザ操作により、予約録画が可能かどうかを確認する行がチェックされ、「レ」マークが付される（ステップＡ３）。すると、装置に挿入されているディスク及び内蔵されているディスクの全容量Ｃ（ｉ）、空き容量｛ｅ（ｉ）−Ｅ（ｉ）｝が調べられる（ステップＡ４）。
（ｉは、ディスクの数であり、この場合は、ｉ＝１、２）
次に各予約について録画に要する容量が計算される（ステップＡ５、Ａ６）。
そして各ディスクの空き容量も計算される（ステップＡ７）。空き容量が正であれば、予約項目に対して○、空き容量が負であれば予約項目に×が付される（ステップＡ８、Ａ９、Ａ１０）。
このような処理が指定した各予約項目について行われる（ステップＡ１１、Ａ１２）。全ての指定した予約項目に対して○、×のいずれかが決定されるとこの情報（結果）が一覧表に表示される（ステップＡ１３）。また、各ディスク（ＤＶＤ１，ＨＤＤ）に対する記録済み、予約録画予定、空き容量の各配分がグラフィカルに表示される（ステップＡ１）。
ディスクの空き容量、使用済み容量、録画予定容量を計算するための情報は、例えばデータ再生の管理情報の中から取得することができる。
上記の計算の結果、図４に示すように、表示された場合、ユーザは、チャンネル６の番組に関する予約録画はできないことを認識できる。
ここでユーザは、空き容量の大きなＤＶＤに交換して、再度、上記の処理を行い、予約番組を録画できるかどうか確認することができる。また現在のＤＶＤに対して、チックした予約番組の録画を行ないたい場合は、以下のような操作を行うこともできる。
例えば、図４のモードの欄に記載されている内容は、データを記録するときのビットレートがマニュアル、ＳＰ、ＬＰのいずれで指定されているのかを示している。ここで、ユーザは、モード選択を行い、所望の行にカーソルを移動させるとそのモードを切り替えることができる。つまり、ユーザは、マニュアル、ＳＰ、ＬＰのいずれかに選択することにより、予約番組を録画するときのビットレートを、マニュアル、ＳＰ、ＬＰのいずれかに設定することができる。
図６には、図４の画面において、モードの項目の切り替え指定を行い、次に、チャンネル６の番組に関して、ＬＰモードで記録するように指定した例を示している。このようにＬＰモードに切り替えると、そのビットレートが２．４に変化する。このために、ＤＶＤに対する録画予定領域が、図４に示したＳＰモードの場合に比べて少なくて済む。よって、この場合は、残量表示結果の項目が、○の表示に変化した例である。
この装置は、上記の実施の形態に限定されるものではない。図６の説明は、ＳＰモードをＬＰモードに切り替えた例を示した。しかしこれに限らずマニュアルモードに設定してもよい。この装置は、マニュアルモードにすると、ビットレートを細かく調整可能になっている。
尚、上記の説明では、残量計算結果を表示する形態として、○、×を示したがこの様な表示形態に限らずＹＥＳ，ＮＯでもよく、ＯＫ，ＮＧなどの表示を行なっても良い。
図７には、上記のように録画モードを変更する場合に、マイクロコンピュータブロック３０における処理手順を示している。
残量計算結果の表示（ステップＢ１）状態において、モード変更操作（ステップＢ２）があると、データの変更があったかどうかの判定が行われる（ステップＢ３２）。データの変更があった場合には、残量計算結果の再表示が行なわれる（ステップＢ４）。そしてこの表示内容で予約録画を実行するかどうかの問合せが行なわれる（ステップＢ５）。ここで、ユーザが、更新された表示内容で予約録画を行なうつもりの場合、ユーザは、「設定登録」の操作を行なう。これにより、新しい予約情報にデータ内容が更新されることになる（ステップＢ６）。ステップＢ５において、「設定しない」或は「登録しない」という操作を行なうと、データ内容は更新されず、図４で示した内容の予約情報が維持される。
また本発明のシステムは、上記の録画予約情報を用いて残量計算を行なう場合に、リムーバブルなディスク、つまりＤＶＤが装置内に装填されているかどうかをチェックする機能も備えている。
図８には、残量の再計算を行なう場合、事前にＤＶＤ−ＲＡＭが装置内部に装填されているかどうかをチェックする機能が付加された例を示している。図７に示した処理ステップと同一部分には同一符号を付している。
即ち、ステップＢ３にてモード変更有りが判定された後、ＤＶＤ−ＲＡＭが装置内部に装填されているかどうかをチェックする（ステップＣ２）。ＤＶＤ−ＲＡＭが存在しない場合には、警告表示を行い、残量再計算は、ＤＶＤ−ＲＡＭが全て空（４．７ＧＢ）であるものとして計算しますというような表示を行なう（ステップＣ２）。ここで、ユーザが承諾（ＯＫ）の操作入力（ステップＣ３）を与えると、予約録画を含めて、残量の再計算を行ない、ステップＢ４に移行する。しかし、ステップここでユーザが否定する旨の操作を行なう（ステップＣ３）と、ステップＢ３に戻る。したがって、例えば警告が与えられている間にユーザは、所望のＤＶＤを装置に装填することができる。
以下、ＤＶＤシステムのディレクトリー及び管理情報について説明する。
図９は、ＤＶＤシステムのディレクトリー構造の一部を示している。ＤＶＤシステムの特にリアルタイムレコーディング（ＲＴＲ）ＤＶＤのディレクトリー構造とオーディオファイルのデイレクトリー構造について示している。
ＤＶＤでは、規格毎にディレクトリが存在し、これらのディレクトリー名を、ＤＶＤ−ビデオでは、「ＶＩＤＥＯ＿ＴＳ」、ＤＶＤ−オーディオでは、「ＡＯＵＤＩＯ＿ＴＳ」、ＲＴＲ−ＤＶＤでは、「ＤＶＤ＿ＲＴＲ」としている。図６では、「ＤＶＤ＿ＲＴＲ」、「ＡＯＵＤＩＯ＿ＴＳ」が示されている。記録データは、各ディレクトリー内に存在する。
また、ＤＶＤでは、通常のファイル形式でデータが保存される。タイトルは、例えば映画の１本分に相当し、１枚のディスクのこのタイトルが複数記録可能である。そしてタイトルが集まったものをタイトルセットと呼び、このタイトルセットは、複数のファイルで構成されることになる。
上記のＤＶＤ−ビデオでは、１枚のディスクに、このディスクの情報を管理するための情報が記録されている。この管理情報はファイルとして記録され、ビデオマネージャー（ＶＭＧ）と称する。
ディレクトリー「ＤＶＤ＿ＲＴＡＶ」内には、ビデオマネジャー（ＶＭＧ）ファイルとしてのＶＲ＿ＭＡＮＧＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、スチルピクチャービデオファイルとしてのＶＲ＿ＡＵＤＩＯ．ＶＲＯ、ビデオマネジャーのバックアップとしてのＶＲ＿ＭＡＮＡＧＲ．ＢＵＰの各ファイルが存在する。
また、ディレクトリー「ＡＵＤＩＯ＿ＴＳ」内には、オーディオマネージャー情報（ＡＭＧＩ）ファイルとしてのＡＵＤＩＯ＿ＴＳ．ＩＦＯ、オーディオマネジャー情報（ＡＭＧＩ）バックアップファイルとしてのＡＵＤＩＯ＿ＴＳ．ＢＵＰ、オーディオタイトルセット情報（ＡＴＳＩ）ファイルとしてのＡＴＳ＿０１＿０．ＩＦＯ、オーディオタイトルセット（ＡＴＳ）オーディオオブジェクトファイルとしてのＡＴＳ＿０１＿０．ＡＯＢが存在する。
ＶＲ＿ＭＡＮＧＲ．ＩＦＯファイルには、ナビゲーションデータが記録されるもので、このナビゲーションデータは、プログラムセット、プログラム、エントリーポイント、プレイリストなどを進行させるためのデータである。
ＶＲ＿ＭＯＶＩＥ．ＶＲＯファイルは、ムービービデオオブジェクト（ムービーＶＯＢ）を記録するためのいわゆるムービーＡＶファイルである。
ＶＲ＿ＳＴＩＬＬ．ＶＲＯは、スチルピクチャーＶＯＢを記録するためのスチルピクチャＡＶファイルである。
またＶＲ＿ＡＵＤＩＯ．ＶＲＯは、スチルピクチャーに対する付加オーディオストリームを記録するためのスチルピクチャー付加オーディオファイルである。
ＶＲ＿ＳＴＩＬＬ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
ＶＲ＿ＡＵＤＩＯ．ＶＲＯは、付加オーディオパートを記録するために用いられるファイルであり、この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
ＶＲ＿ＭＡＮＧＲ．ＢＵＰは、ＶＲ＿ＭＡＮＧＲ．ＩＦＯのバックアップファイルである。
図１０には、ＶＭＧファイルに記述されている情報を階層的に示し、特にムービーＡＶファイル情報テーブル（Ｍ＿ＡＶＦＩＴ）を階層的に詳しく示している。
上記のＭ＿ＡＶＦＩＴには、ムービーＡＶファイル情報テーブル情報（Ｍ＿ＡＶＦＩＴＩ）、ムービーＶＯＢストリーム情報（Ｍ＿ＶＯＢ＿ＳＴＩ＃ｎ）（ｎ＝１〜ｎ），ムービーＡＶファイル情報（Ｍ＿ＡＶＦＩ）が記述されている。
ムービーＡＶファイル情報（Ｍ＿ＡＶＦＩ）について説明する。
ムービーＡＶファイル情報（Ｍ＿ＡＶＦＩ）には、Ｍ＿ＡＶＦＩ一般情報（Ｍ＿ＡＶＦＩ＿ＧＩ）、Ｍ＿ＶＯＢ情報サーチポインタ（Ｍ＿ＶＯＢＩ＿ＳＲＰ＃ｎ）、ムービービデオ情報（Ｍ＿ＶＯＢＩ＃ｎ）が記述されている。
Ｍ＿ＡＶＦＩ一般情報には、Ｍ＿ＶＯＢサーチポインタの数、Ｍ＿ＶＯＢ情報の開始アドレスが記述されている。
Ｍ＿ＶＯＢ情報＃ｎには、当該Ｍ＿ＶＯＢの一般情報（Ｍ＿ＶＯＢ＿ＧＩ）、シームレス情報（ＳＭＬＩ）、オーディオギャツプ情報（ＡＧＡＰＩ）、タイムマップ情報（ＴＭＡＰＩ）が記述されている。
Ｍ＿ＶＯＢ＿ＧＩには、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
またＭ＿ＶＯＢ＿ＧＩには、このＶＯＢの記録時間、サブで分の時間が記録される。さらにまたこのＭ＿ＶＯＢ＿ＧＩには、Ｍ＿ＶＯＢのストリーム情報番号、このＶＯＢのビデオスタート時間、並びに終了時間、コピープロテクション情報が記述される。
次にムービービデオ情報（Ｍ＿ＶＯＢＩ＃ｎ）について説明する。このＭ＿ＶＯＢＩ＃ｎは、Ｍ＿ＶＯＢＩ＿ＳＲＰ＃ｎにより特定される。
ムービービデオ情報（Ｍ＿ＶＯＢＩ＃ｎ）には、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
次に上記のタイムマップ情報（ＴＭＡＰＩ）について説明する。
ＴＭＡＰＩは、プレゼンテーションタイムをオフセットアドレスに変換するのに利用される。この情報は通常の再生のみならず特殊再生やタイムサーチのためにも活用すべき用意されている。
ＴＭＡＰＩは、タイムマップ一般情報（ＴＭＡＰ＿ＧＩ）、タイムマップエントリーテーブル（ＴＭ＿ＥＮＴ＃１〜＃ｎ）、このエントリー情報に対応するビデオオブジェクトエントリーテーブル（ＶＯＢＵ＿ＥＮＴ＃１〜＃ｎ）で構成される。
各ＴＭ＿ＥＮＴは、対応するＶＯＢＵのアドレス情報を含みタイムエントリーにより特定された再生時間とＶＯＢＵの再生開始時間との時間差情報を含む。
各ＶＯＢＵ＿ＥＮＴは、各ＶＯＢＵの再生時間及びサイズ情報を含む。ＶＯＢＵのサイズは、論理ブロックにより計測されており、再生時間はビデオフィールドにより計測されている。
ＴＭＡＰ＿ＧＩは、タイムエントリー数（ＴＭ＿ＥＮＴ＿Ｎｓ）、ＶＯＢＵエントリー数（ＶＯＢＵ＿ＥＮＴ＿Ｎｓ）、タイムオフセット（ＴＭ＿ＯＦＳ）、アドレスオフセット（ＡＤＲ＿ＯＦＳ）を有する。
ＶＯＢＵ＿ＥＮＴについて説明する。
ＶＯＢＵ＿ＥＮＴは、このＶＯＢＵの第１の参照画像のアドレスを述べた（１ＳＴＲＥＦ＿ＳＺ）と、このＶＯＢＵの再生時間を述べた（ＶＯＢＵ＿ＰＢ＿ＴＭ）と、このＶＯＢＵのサイズを述べた（ＶＯＢＵ＿ＳＺ）で構成される。第１の参照画像は、ＶＯＢＵの先頭からのＩピクチャの最終アドレスであり、ＶＯＢＵ内のビデオを復号するのに最初に必要なデータのアドレスである。ＶＯＢＵの再生時間は、このＶＯＢＵ内のビデオフィールドの数で示されている。またＶＯＢＵのサイズは、このＶＯＢＵ内のパック数で示されている。
上記のＲＴＲ＿ＶＭＩについて説明する。
このＲＴＲ＿ＶＭＩは、大きく分けて２つの情報が含まれる。１つはＶＭＧＩ＿ＭＡＴ（ビデオマネージャー情報マネジメントテーブル）であり、他の１つは、ＰＬ＿ＳＲＰＴ（プレイリストサーチポインターテーブル）である。
ＶＭＧＩ＿ＭＡＴには、このＶＭＧを識別するためのＶＭＧ識別子、ＶＭＧの終了位置を示す情報であるＲＴＲ＿ＶＭＧ終了アドレス、このＶＭＧ情報の終了位置を示す情報であるＲＴＲ＿ＶＭＧＩ終了アドレス、このブックのバージョン番号、このディスクに各種データが記録又は更新されたときの時間を示す情報であるタイムゾーン、スチルピクチャのためのスチル時間、プライマリーテキストのためのキャラクタセットコード、ディスク再生中に一時停止され、次に再生を行うのに必要な情報（プログラムチェーン番号など）を記述したレジュームマーク情報、ディスク代表画像を再生するために必要な情報を記述したディスクリプレゼンタティブピクチャー情報、このディスクの代表名を表示するためのキャラクタコードセットによる記述情報であるディスクリプレゼンタティブネームが記述されている。さらに、次に格納されているＭ＿ＡＶＦＴのスタートアドレス、Ｓ＿ＡＶＦＩＴのスタートアドレス、ＯＲＧ＿ＰＧＣＩのスタートアドレス、ＵＤ＿ＰＧＣＩのスタートアドレス、ＴＸＴＤＴ＿ＭＧのスタートアドレス、ＭＮＦＩＴのスタートアドレスが記述されている。
ＰＬ＿ＳＲＰＴは、プレイリストサーチポインタの数、及び各プレイリストのサーチポインタが記述されている。プレイリストは、プログラムの部分部分を示すリストであり、ユーザにより再生順序を指定可能であり、後述するユーザ定義ＰＧＣにより定義されている。プレイリストサーチポインタには、再生される対象がムービー、スチルなどを識別するためのプレイリストタイプ、このポインタに対応するプログラムチェーン番号、プレイリストが作成された時間の各情報、プレイリストのためのプライマリーテキスト情報等が含まれている。
上記のように管理情報には、記録済みのデータの再生時間情報などが記述されている。ビデオオブジェクトの全時間を合算すると記録済み容量が分かる。また、ディスクの無記録時の全容量は予め分かっている。したがって、全容量から記録済み容量を引き算することで、残り容量が分かる。
さらに、録画予約時間情報とビットレートとから、録画予定容量を推定することができる。よって残り容量から録画予定容量を引き算すれば、空き容量を求めることができる。
この発明は上記の実施の形態に限定されるものではない。
上記の説明では予約録画情報は、メモリに格納されているものとした。しかしこれに限らず内蔵のハードディスクに記録してもよい。
また、上記の説明では、予約録画が可能かどうかを、装置に内蔵されているハードディスクと、１つのＤＶＤについて計算する例を示した。
しかし、装置から取り出してあるＤＶＤについても、予約録画可能かどうかを知ることは可能である。この場合は、ＤＶＤに録画した後、残り容量計算を行い、メモリに残り容量情報を格納しておくことが必要となる。またＤＶＤの識別情報を残り容量とともにメモリにテーブルとして格納しておくことが必要となる。
このように装置本体から取り出されているＤＶＤについても残り容量情報をメモリあるいはハードディスクにライブラリーとして格納しておくことにより、残量計算結果を表示することができる。但し、この場合は、さらに装置本体に装着されているディスクか、装置本体から取り出されているディスクなのかを色、或は文字（あるいは記号）により表示する。また、この場合は、ＤＶＤに関して記録済み、空き領域、録画予定の配分を表示するボーグラフは、ＤＶＤ１用、ＤＶＤ２用、ＤＶＤ３用というふうに複数表示するようにしてもよい。
以上説明したようにこの発明によれば、録画予約を行なった場合、記録メディアの残り容量を計算し、ユーザに予約の状況、予約録画可能かどうかを容易に分かりやすくすることができる。また、予約情報の変更を可能にする。
産業上の利用可能性
この発明は、ハードディスク、記録再生可能なＤＶＤ（デジタル・バーサタイル・ディスク）などのように、記録再生可能な複数の媒体を同時に取り扱うことができる複数の記録媒体を制御可能な記録再生装置に適用されて有効である。
【図面の簡単な説明】
図１は、この発明が適用された複数の記録媒体を制御可能な記録再生装置の全体のブロック構成を示す図。
図２は、この発明の装置によりディスプレイ上に録画予約入力画面が表示された例を示す図。
図３は、この発明の装置によりディスプレイに録画予約一覧画面が表示された例を示す図。
図４は、この発明の装置によりディスプレイに残量計算結果画面が表示された例を示す図。
図５は、この発明に係わる残量計算処理の手順を示すフローチャート。
図６は、この発明の装置によりディスプレイに残量計算結果画面が再表示された例を示す図。
図７は、この発明に係わる残量計算結果を再表示するときの処理手順を示すフローチャート。
図８は、この発明に係わる残量計算結果を再表示するときのさらに別の処理手順を示すフローチャート。
図９は、録再ＤＶＤのディレクトリー構造を説明するために示した図。
図１０は、録再ＤＶＤの管理情報のフォーマットの一部を示す図。
【図１】
2002028100.tif 000003
【図２】
2002028100.tif 000004
【図３】
2002028100.tif 000005
【図４】
2002028100.tif 000006
【図５】
2002028100.tif 000007
【図６】
2002028100.tif 000008
【図７】
2002028100.tif 000009
【図８】
2002028100.tif 000010
【図９】
2002028100.tif 000011
【図１０】
2002028100.tif 000012
【国際調査報告】
2002028100.tif 000013
2002028100.tif 000014